(57)【要約】【課題】複数のＧＵＩが実装された場合に、操作者に負担をかけることなく、入力装置に応じて最適なＧＵＩへの切り換えを行う。【解決手段】リモコン１２、マウス１３、およびキーボード１４の入力装置は、その入力装置の移動が検知された場合、移動検知信号を本体部１１に送信する。本体部１１は、移動検知信号を受信すると、その移動検知信号を送信してきた入力装置の種類に対応するＧＵＩを対応ＧＵＩ記憶部１１６から検索するとともに、現在表示されているＧＵＩを表示ＧＵＩ記憶部１１７から検索する。本体部１１は、入力装置の種類に対応するＧＵＩが現時点で表示されていなければ、対応するＧＵＩへの切り換えを行う。【選択図】図１
2007066057.tif 000002
【特許請求の範囲】
【請求項１】
複数のＧＵＩが実装される本体部と、該本体部を操作するための複数の入力装置とからなる情報処理装置において、
前記入力装置は、
送信部と、
所定の信号を前記送信部から前記本体部に対して送信する入力装置制御部とを有し、
前記本体部は、
受信部と、
前記受信部で前記所定の信号が受信された場合、該所定の信号を送信してきた入力装置に対応するＧＵＩへの切り換えを行う本体制御部とを有する情報処理装置。
【請求項２】
前記入力装置は、該入力装置の移動を検知する位置センサをさらに有し、
前記入力装置制御部は、前記位置センサにより前記入力装置の移動が検知された場合に、移動検知信号を前記所定の信号として前記本体部に対して送信し、
前記本体制御部は、前記受信部で前記移動検知信号が受信された場合、該移動検知信号を送信してきた入力装置の種類に対応するＧＵＩへの切り換えを行う、請求項１に記載の情報処理装置。
【請求項３】
前記本体部は、前記入力装置の種類ごとに、当該入力装置の種類に対応するＧＵＩを記憶する対応ＧＵＩ記憶手段をさらに有し、
前記本体制御部は、前記移動検知信号を送信してきた入力装置の種類に対応するＧＵＩを前記対応ＧＵＩ記憶手段から検索し、検索したＧＵＩへの切り換えを行う、請求項２に記載の情報処理装置。
【請求項４】
前記位置センサは、３Ｄ位置センサであり、
前記送信部は、無指向性無線送信部であり、
前記入力装置制御部は、前記３Ｄ位置センサにより前記入力装置の水平方向または垂直方向の移動が検知された場合に、前記無指向性無線送信部から前記本体部に対して前記移動検知信号を無線で送信する、請求項２または３に記載の情報処理装置。
【請求項５】
前記位置センサは、３Ｄ位置センサであり、
前記送信部は、無指向性無線送信部であり、
前記入力装置制御部は、前記３Ｄ位置センサにより前記入力装置の垂直方向の移動が検知された場合にのみ、前記無指向性無線送信部から前記本体部に対して前記移動検知信号を無線で送信する、請求項２または３に記載の情報処理装置。
【請求項６】
前記位置センサは、２Ｄ位置センサであり、
前記送信部は、前記本体部とケーブルで接続された有線送信部であり、
前記入力装置制御部は、前記２Ｄ位置センサにより前記入力装置の水平方向の移動が検知された場合に、前記有線送信部から前記ケーブルを介して前記本体部に対して前記移動検知信号を送信する、請求項２または３に記載の情報処理装置。
【請求項７】
前記入力装置は、該入力装置に触れられたことを検知するタッチセンサをさらに有し、
前記入力装置制御部は、前記タッチセンサにより前記入力装置に触れられたことが検知された場合に、利用検知信号を前記所定の信号として前記本体部に対して送信し、
前記本体制御部は、前記受信部で前記利用検知信号が受信された場合、該利用検知信号を送信してきた入力装置の種類に対応するＧＵＩへの切り換えを行う、請求項１に記載の情報処理装置。
【請求項８】
前記本体部は、前記入力装置の種類ごとに、当該入力装置の種類に対応するＧＵＩを記憶する対応ＧＵＩ記憶手段をさらに有し、
前記本体制御部は、前記利用検知信号を送信してきた入力装置の種類に対応するＧＵＩを前記対応ＧＵＩ記憶手段から検索し、検索したＧＵＩへの切り換えを行う、請求項７に記載の情報処理装置。
【請求項９】
前記送信部は、無指向性無線送信部であり、
前記入力装置制御部は、前記無指向性無線送信部から前記本体部に対して前記利用検知信号を無線で送信する、請求項７または８に記載の情報処理装置。
【請求項１０】
前記送信部は、前記本体部とケーブルで接続された有線送信部であり、
前記入力装置制御部は、前記有線送信部から前記ケーブルを介して前記本体部に対して前記利用検知信号を送信する、請求項７または８に記載の情報処理装置。
【請求項１１】
前記入力装置制御部は、前記入力装置が操作された場合に、該操作内容を示す操作信号に前記入力装置の識別信号を付加したものを前記所定の信号として前記本体部に対して送信し、
前記本体制御部は、前記受信部で前記操作信号が受信された場合、該操作信号に付加されている識別信号に基づき該操作信号を送信してきた入力装置の種類を認識し、認識した入力装置の種類に対応するＧＵＩへの切り換えを行う、請求項１に記載の情報処理装置。
【請求項１２】
前記本体部は、前記入力装置の種類ごとに、当該入力装置の種類に対応するＧＵＩを記憶する対応ＧＵＩ記憶手段をさらに有し、
前記本体制御部は、前記操作信号に付加されている識別信号に基づき認識した入力装置の種類に対応するＧＵＩを前記対応ＧＵＩ記憶手段から検索し、検索したＧＵＩへの切り換えを行う、請求項１１に記載の情報処理装置。
【請求項１３】
前記送信部は、無線送信部であり、
前記入力装置制御部は、前記無線送信部から前記本体部に対して前記操作信号を無線で送信する、請求項１１または１２に記載の情報処理装置。
【請求項１４】
前記送信部は、前記本体部とケーブルで接続された有線送信部であり、
前記入力装置制御部は、前記有線送信部から前記ケーブルを介して前記本体部に対して前記操作信号を送信する、請求項１１または１２に記載の情報処理装置。
【請求項１５】
前記入力装置制御部は、所定のタイミングで、距離計測用信号を前記所定の信号として前記本体部に対して送信し、
前記本体部は、前記入力装置との間の距離を計測する距離計測手段をさらに有し、
前記本体制御部は、前記受信部で前記距離計測用信号が受信された場合、該距離計測用信号を送信してきた入力装置との間の距離を前記距離計測手段に計測させ、計測された距離に対応するＧＵＩへの切り換えを行う、請求項１に記載の情報処理装置。
【請求項１６】
前記本体部は、前記入力装置との間の距離ごとに、当該距離に対応するＧＵＩを記憶する対応ＧＵＩ記憶手段をさらに有し、
前記本体制御部は、前記距離計測用信号を送信してきた入力装置との間の距離に対応するＧＵＩを前記対応ＧＵＩ記憶手段から検索し、検索したＧＵＩへの切り換えを行う、請求項１５に記載の情報処理装置。
【請求項１７】
前記入力装置は、該入力装置の移動を検知する位置センサをさらに有し、
前記入力装置制御部は、前記位置センサにより前記入力装置の移動が検知されたタイミングで、前記距離計測用信号を前記本体部に対して送信する、請求項１５または１６に記載の情報処理装置。
【請求項１８】
前記入力装置は、該入力装置に触れられたことを検知するタッチセンサをさらに有し、
前記入力装置制御部は、前記タッチセンサにより前記入力装置に触れられたことが検知されたタイミングで、前記距離計測用信号を前記本体部に対して送信する、請求項１５または１６に記載の情報処理装置。
【請求項１９】
前記入力装置制御部は、前記入力装置の操作が開始されたタイミングで、前記距離計測用信号を前記本体部に対して送信する、請求項１５または１６に記載の情報処理装置。
【請求項２０】
前記入力装置制御部は、前記入力装置の操作が開始された後の一定の間隔ごとのタイミングで、前記距離計測用信号を前記本体部に対して送信する、請求項１５または１６に記載の情報処理装置。
【請求項２１】
前記送信部は、無線送信部であり、
前記入力装置制御部は、前記無線送信部から前記本体部に対して前記距離計測用信号を無線で送信する、請求項１５から２０のいずれか１項に記載の情報処理装置。
【請求項２２】
前記本体部は、該本体部に現時点で表示されているＧＵＩを記憶する表示ＧＵＩ記憶手段をさらに有し、
前記本体制御部は、前記受信部で前記所定の信号が受信された場合、現時点で表示されているＧＵＩを前記表示ＧＵＩ記憶手段から検索し、前記所定の信号を送信してきた入力装置に対応するＧＵＩが現時点で表示されていない場合に、前記入力装置に対応するＧＵＩへの切り換えを行う、請求項１から２１のいずれか１項に記載の情報処理装置。
【請求項２３】
複数のＧＵＩが実装される本体部と、該本体部を操作するための複数の入力装置とからなる情報処理装置におけるＧＵＩの切り換え方法であって、
前記入力装置が、所定の信号を前記本体部に対して送信する第１のステップと、
前記本体部が、前記所定の信号が受信された場合、該所定の信号を送信してきた入力装置に対応するＧＵＩへの切り換えを行う第２のステップとを有する方法。
【請求項２４】
前記第１のステップでは、前記入力装置が、位置センサにより前記入力装置の移動が検知された場合に、移動検知信号を前記所定の信号として前記本体部に対して送信し、
前記第２のステップでは、前記本体部が、前記移動検知信号が受信された場合、該移動検知信号を送信してきた入力装置の種類に対応するＧＵＩへの切り換えを行う、請求項２３に記載の方法。
【請求項２５】
前記本体部が、前記入力装置の種類ごとに、当該入力装置の種類に対応するＧＵＩを対応ＧＵＩ記憶手段に記憶するステップをさらに有し、
前記第２のステップでは、前記本体部が、前記移動検知信号を送信してきた入力装置の種類に対応するＧＵＩを前記対応ＧＵＩ記憶手段から検索し、検索したＧＵＩへの切り換えを行う、請求項２４に記載の方法。
【請求項２６】
前記第１のステップでは、前記入力装置が、３Ｄ位置センサにより前記入力装置の水平方向または垂直方向の移動が検知された場合に、無指向性の無線送信部から前記本体部に対して前記移動検知信号を無線で送信する、請求項２４または２５に記載の方法。
【請求項２７】
前記第１のステップでは、前記入力装置が、３Ｄ位置センサにより前記入力装置の垂直方向の移動が検知された場合にのみ、無指向性の無線送信部から前記本体部に対して前記移動検知信号を無線で送信する、請求項２４または２５に記載の方法。
【請求項２８】
前記第１のステップでは、前記入力装置が、２Ｄ位置センサにより前記入力装置の水平方向の移動が検知された場合に、ケーブルを介して前記本体部に対して前記移動検知信号を送信する、請求項２４または２５に記載の方法。
【請求項２９】
前記第１のステップでは、前記入力装置が、タッチセンサにより前記入力装置に触れられたことが検知された場合に、利用検知信号を前記所定の信号として前記本体部に対して送信し、
前記第２のステップでは、前記本体部が、前記利用検知信号が受信された場合、該利用検知信号を送信してきた入力装置の種類に対応するＧＵＩへの切り換えを行う、請求項２３に記載の方法。
【請求項３０】
前記本体部が、前記入力装置の種類ごとに、当該入力装置の種類に対応するＧＵＩを対応ＧＵＩ記憶手段に記憶するステップをさらに有し、
前記第２のステップでは、前記本体部が、前記利用検知信号を送信してきた入力装置の種類に対応するＧＵＩを前記対応ＧＵＩ記憶手段から検索し、検索したＧＵＩへの切り換えを行う、請求項２９に記載の方法。
【請求項３１】
前記第１のステップでは、前記入力装置が、無指向性の無線送信部から前記本体部に対して前記利用検知信号を無線で送信する、請求項２９または３０に記載の方法。
【請求項３２】
前記第１のステップでは、前記入力装置が、ケーブルを介して前記本体部に対して前記利用検知信号を送信する、請求項２９または３０に記載の方法。
【請求項３３】
前記第１のステップでは、前記入力装置が、該入力装置が操作された場合に、該操作内容を示す操作信号に前記入力装置の識別信号を付加したものを前記所定の信号として前記本体部に対して送信し、
前記第２のステップでは、前記本体部が、前記操作信号が受信された場合、該操作信号に付加されている識別信号に基づき該操作信号を送信してきた入力装置の種類を認識し、認識した入力装置の種類に対応するＧＵＩへの切り換えを行う、請求項２３に記載の方法。
【請求項３４】
前記本体部が、前記入力装置の種類ごとに、当該入力装置の種類に対応するＧＵＩを対応ＧＵＩ記憶手段に記憶するステップをさらに有し、
前記第２のステップでは、前記本体部が、前記操作信号に付加されている識別信号に基づき認識した入力装置の種類に対応するＧＵＩを前記対応ＧＵＩ記憶手段から検索し、検索したＧＵＩへの切り換えを行う、請求項３３に記載の方法。
【請求項３５】
前記第１のステップでは、前記入力装置が、前記本体部に対して前記操作信号を無線で送信する、請求項３３または３４に記載の方法。
【請求項３６】
前記第１のステップでは、前記入力装置が、ケーブルを介して前記本体部に対して前記操作信号を送信する、請求項３３または３４に記載の方法。
【請求項３７】
前記第１のステップでは、前記入力装置が、所定のタイミングで、距離計測用信号を前記所定の信号として前記本体部に対して送信し、
前記第２のステップでは、前記本体部が、前記距離計測用信号が受信された場合、該距離計測用信号を送信してきた入力装置との間の距離を計測し、計測された距離に対応するＧＵＩへの切り換えを行う、請求項２３に記載の方法。
【請求項３８】
前記本体部が、前記入力装置との間の距離ごとに、当該距離に対応するＧＵＩを対応ＧＵＩ記憶手段に記憶するステップをさらに有し、
前記第２のステップでは、前記本体部が、前記距離計測用信号を送信してきた入力装置との間の距離に対応するＧＵＩを前記対応ＧＵＩ記憶手段から検索し、検索したＧＵＩへの切り換えを行う、請求項３７に記載の方法。
【請求項３９】
前記第１のステップでは、前記入力装置が、位置センサにより前記入力装置の移動が検知されたタイミングで、前記距離計測用信号を前記本体部に対して送信する、請求項３７または３８に記載の方法。
【請求項４０】
前記第１のステップでは、前記入力装置が、タッチセンサにより前記入力装置に触れられたことが検知されたタイミングで、前記距離計測用信号を前記本体部に対して送信する、請求項３７または３８に記載の方法。
【請求項４１】
前記第１のステップでは、前記入力装置が、該入力装置の操作が開始されたタイミングで、前記距離計測用信号を前記本体部に対して送信する、請求項３７または３８に記載の方法。
【請求項４２】
前記第１のステップでは、前記入力装置が、該入力装置の操作が開始された後の一定の間隔ごとのタイミングで、前記距離計測用信号を前記本体部に対して送信する、請求項３７または３８に記載の方法。
【請求項４３】
前記第１のステップでは、前記入力装置が、前記本体部に対して前記距離計測用信号を無線で送信する、請求項３７から４２のいずれか１項に記載の方法。
【請求項４４】
前記本体部が、該本体部に現時点で表示されているＧＵＩを表示ＧＵＩ記憶手段に記憶するステップをさらに有し、
前記第２のステップでは、前記本体部が、前記所定の信号が受信された場合、現時点で表示されているＧＵＩを前記表示ＧＵＩ記憶手段から検索し、前記所定の信号を送信してきた入力装置に対応するＧＵＩが現時点で表示されていない場合に、前記入力装置に対応するＧＵＩへの切り換えを行う、請求項２３から４３のいずれか１項に記載の方法。
【発明の詳細な説明】
【技術分野】
【０００１】
本発明は、複数のＧＵＩ（Graphical User Interface）が実装された情報処理装置、情報処理装置におけるＧＵＩの切り換え方法に関する。
【背景技術】
【０００２】
最近、パーソナルコンピュータ等の情報処理装置として、テレビ機能を搭載した情報処理装置が普及してきている。この種の情報処理装置に実装されるＧＵＩとしては、大きく分けて次の２つのＧＵＩが考えられる。
【０００３】
一方のＧＵＩは、テレビや録画番組の視聴等を行うために、画面から遠い位置にあるリモコンにより遠隔操作をする場合に適したＧＵＩである。このような遠隔操作用のＧＵＩは、文字やアイコンのサイズが大きく情報量が少ない、メニューや情報等の要素を選択するための枠が要素間を移動する、リモコンでの文字入力の際に入力を補助するためのソフトウェアキーボードが画面上に表示される、等の特徴がある。
【０００４】
他方のＧＵＩは、ホームページの閲覧、電子メールの送受信等を行うために、画面から近い位置にあるキーボードまたはマウスにより近距離操作をする場合に適したＧＵＩである。このような近距離操作用のＧＵＩは、文字やアイコンのサイズが小さく情報量が多い、マウスポインタなどのカーソルが画面上を自由に移動する等の特徴がある。
【０００５】
しかしながら、従来の情報処理装置には、上記の２つのＧＵＩのうちいずれか１つのＧＵＩしか実装されていなかったため、遠隔操作または近距離操作のいずれかの操作性が必然的に悪くなるという課題があった。
【０００６】
そのため、今後、テレビ機能を搭載した情報処理装置としては、上述した遠隔操作用のＧＵＩと近距離操作用のＧＵＩとの２つのＧＵＩを実装した情報処理装置が増えることが予想される。また、これら２つのＧＵＩに限らず、文字やアイコンのサイズなどを異ならせた３以上のＧＵＩを実装した情報処理装置が実現される可能性もある。
【０００７】
しかしながら、テレビ機能を搭載した情報処理装置において、複数のＧＵＩを実装した場合に、ＧＵＩの切り換えを操作者自身に行わせようとすると、操作者の負担が非常に大きくなってしまう。
【０００８】
そのため、操作者が操作する入力装置に応じて、操作者にとって最適なＧＵＩへ切り換えることができる技術への要求が高まってくると予想される。この種の技術としては、例えば、特許文献１には、操作者が操作する入力装置に応じて画面のモードを切り換える技術が開示されている。
【特許文献１】特開２００４−２５２８２０号公報
【発明の開示】
【発明が解決しようとする課題】
【０００９】
しかしながら、特許文献１に開示された技術は、タッチパネルによる入力であるかまたはリモコンによる入力であるかに応じて画面のモードを切り換える技術である。
【００１０】
そのため、特許文献１に開示された技術をパーソナルコンピュータ等の情報処理装置に適用したとしても、リモコンによる入力とキーボードまたはマウスによる入力とを区別してＧＵＩを切り換えることはできない。
【００１１】
すなわち、テレビ機能を搭載した情報処理装置において、操作者が操作する入力装置に応じて、操作者にとって最適なＧＵＩへ切り換えるという課題は、特許文献１に開示された技術によっても解決することは困難である。
【００１２】
そこで、本発明の目的は、複数のＧＵＩが実装された場合に、操作者に負担をかけることなく、入力装置に応じて最適なＧＵＩへの切り換えを行うことができる情報処理装置、情報処理装置におけるＧＵＩの切り換え方法を提供することにある。
【課題を解決するための手段】
【００１３】
上記目的を達成するために本発明の情報処理装置は、
複数のＧＵＩが実装される本体部と、該本体部を操作するための複数の入力装置とからなる情報処理装置において、
前記入力装置は、
送信部と、
所定の信号を前記送信部から前記本体部に対して送信する入力装置制御部とを有し、
前記本体部は、
受信部と、
前記受信部で前記所定の信号が受信された場合、該所定の信号を送信してきた入力装置に対応するＧＵＩへの切り換えを行う本体制御部とを有するものである。
【００１４】
この構成によれば、本体部において、入力装置から所定の信号を受信し、受信した信号を基にしてその入力装置に対応するＧＵＩへの切り換えを行っているため、操作者に負担をかけることなく、操作者が操作する入力装置に応じた最適なＧＵＩへの切り換えを行うことが可能になる。
【００１５】
具体的には、本発明の情報処理装置の第１の態様によれば、
前記入力装置は、該入力装置の移動を検知する位置センサをさらに有し、
前記入力装置制御部は、前記位置センサにより前記入力装置の移動が検知された場合に、移動検知信号を前記所定の信号として前記本体部に対して送信し、
前記本体制御部は、前記受信部で前記移動検知信号が受信された場合、該移動検知信号を送信してきた入力装置の種類に対応するＧＵＩへの切り換えを行う。
【００１６】
この構成によれば、入力装置において、その入力装置の移動を検知した場合に移動検知信号を本体部へ送信し、本体部において、移動検知信号を送信してきた入力装置の種類に対応するＧＵＩへの切り換えを行うため、操作者に負担をかけることなく、操作者が操作する入力装置に応じた最適なＧＵＩへの切り換えを行うことが可能になる。
【００１７】
また、本発明の情報処理装置の第２の態様によれば、
前記入力装置は、該入力装置に触れられたことを検知するタッチセンサをさらに有し、
前記入力装置制御部は、前記タッチセンサにより前記入力装置に触れられたことが検知された場合に、利用検知信号を前記所定の信号として前記本体部に対して送信し、
前記本体制御部は、前記受信部で前記利用検知信号が受信された場合、該利用検知信号を送信してきた入力装置の種類に対応するＧＵＩへの切り換えを行う。
【００１８】
この構成によれば、入力装置において、操作者に触れられたことを検知した場合に利用検知信号を本体部へ送信し、本体部において、利用検知信号を送信してきた入力装置の種類に対応するＧＵＩへの切り換えを行うため、操作者に負担をかけることなく、操作者が操作する入力装置に応じた最適なＧＵＩへの切り換えを行うことが可能になる。
【００１９】
また、本発明の情報処理装置の第３の態様によれば、
前記入力装置制御部は、前記入力装置が操作された場合に、該操作内容を示す操作信号に前記入力装置の識別信号を付加したものを前記所定の信号として前記本体部に対して送信し、
前記本体制御部は、前記受信部で前記操作信号が受信された場合、該操作信号に付加されている識別信号に基づき該操作信号を送信してきた入力装置の種類を認識し、認識した入力装置の種類に対応するＧＵＩへの切り換えを行う。
【００２０】
この構成によれば、入力装置において、操作者に操作された場合に、識別信号を付加した操作信号を本体部へ送信し、本体部において、操作信号に付加された識別信号により入力装置の種類を認識し、認識した入力装置の種類に対応するＧＵＩへの切り換えを行うため、操作者に負担をかけることなく、操作者が操作する入力装置に応じた最適なＧＵＩへの切り換えを行うことが可能になる。
【００２１】
また、本発明の情報処理装置の第４の態様によれば、
前記入力装置制御部は、所定のタイミングで、距離計測用信号を前記所定の信号として前記本体部に対して送信し、
前記本体部は、前記入力装置との間の距離を計測する距離計測手段をさらに有し、
前記本体制御部は、前記受信部で前記距離計測用信号が受信された場合、該距離計測用信号を送信してきた入力装置との間の距離を前記距離計測手段に計測させ、計測された距離に対応するＧＵＩへの切り換えを行う。
【００２２】
この構成によれば、入力装置において、所定のタイミングで距離計測用信号を本体部へ送信し、本体部において、距離計測用信号に基づき入力装置との間の距離を計測し、計測した距離に対応するＧＵＩへの切り換えを行うため、操作者に負担をかけることなく、操作者が操作する入力装置に応じた最適なＧＵＩへの切り換えを行うことが可能になる。
【発明の効果】
【００２３】
以上説明したように本発明によれば、本体部において、入力装置から所定の信号を受信し、受信した信号を基にしてその入力装置に対応するＧＵＩへの切り換えを行っているため、操作者に負担をかけることなく、操作者が操作する入力装置に応じた最適なＧＵＩへの切り換えを行うことができるという効果が得られる。
【発明を実施するための最良の形態】
【００２４】
以下に、本発明を実施するための最良の形態について図面を参照して説明する。
【００２５】
（第１の実施形態）
図１を参照すると、本発明の第１の実施形態による情報処理装置は、複数のＧＵＩが実装されている本体部１１と、本体部１１の画面から遠い位置で遠隔操作を行う遠隔操作用の入力装置であるリモコン１２と、本体部１１の画面から近い位置で近距離操作を行う近距離操作用の入力装置であるマウス１３およびキーボード１４とを有している。
【００２６】
なお、本実施形態では、本体部１１には、マウス１３およびキーボード１４による近距離操作用のＧＵＩと、リモコン１２による遠隔操作用のＧＵＩとの２つのＧＵＩが実装されているものとする。なお、遠隔操作用のＧＵＩには、文字やアイコンのサイズが大きく情報量が少ない、メニューや情報等の要素を選択するための枠が要素間を移動する等の特徴があり、近距離操作用のＧＵＩには、文字やアイコンのサイズが小さく情報量が多い、マウスポインタなどのカーソルが画面上を自由に移動する、リモコンでの文字入力の際に入力を補助するためのソフトウェアキーボードが画面上に表示される、等の特徴がある（以下、同じ）。
【００２７】
リモコン１２は、制御部１２１と、入力部１２２と、３Ｄ（３次元）位置センサ１２３と、指向性無線送信部１２４と、無指向性無線送信部１２５とを有している。
【００２８】
入力部１２２は、操作者が操作するボタンであり、３Ｄ位置センサ１２３は、リモコン１２の水平方向および垂直方向の移動を検知するセンサである。
【００２９】
指向性無線送信部１２４は、本体部１１の無線受信部１１２に向けられた状態でのみ、無線受信部１１２に無線で信号を送信することが可能である。例えば、指向性無線送信部１２４は、赤外線などで信号を送信する。
【００３０】
無指向性無線送信部１２５は、指向性無線送信部１２４とは異なり、本体部１１の無線受信部１１４に向けられているか否かに関わらず、無線受信部１１４に無線で信号を送信することが可能である。例えば、無指向性無線送信部１２５は、ブルートゥース、超音波などで信号を送信する。
【００３１】
制御部１２１は、３Ｄ位置センサ１２３によりリモコン１２の水平方向または垂直方向の移動が検知されると、リモコン移動検知信号（制御コード）を無指向性無線送信部１２５から本体部１１に無線で送信する。よって、３Ｄ位置センサ１２３の代わりに、水平方向の移動のみを検知する２Ｄ（２次元）位置センサを設けることも可能である。ただし、リモコン１２の操作時以外の移動を本体部１１に通知しないようにするためには、リモコン１２の垂直方向の移動のみを本体部１１へ通知するのが良い。そのため、３Ｄ位置センサ１２３を設け、制御部１２１が、リモコン１２の垂直方向の移動のみを本体部１１に通知するのが好ましい。また、制御部１２１は、入力部１２２への操作が行われると、その操作内容を示す操作信号（操作コード）を指向性無線送信部１２４から本体部１１に無線で送信する。
【００３２】
マウス１３は、制御部１３１と、入力部１３２と、２Ｄ（２次元）位置センサ１３３と、有線送信部１３４とを有している。
【００３３】
入力部１３２は、操作者が操作する右ボタン、左ボタン、ボールなどであり、２Ｄ位置センサ１３３は、マウス１３の水平方向の移動を検知するセンサである。
【００３４】
有線送信部１３４は、本体部１１の有線受信部１１５とケーブルで接続されており、該ケーブルを介して有線受信部１１５に信号を送信することが可能である。
【００３５】
制御部１３１は、２Ｄ位置センサ１３３によりマウス１３の水平方向の移動が検知されると、マウス移動検知信号（制御コード）を有線送信部１３４からケーブルを介して本体部１１に送信する。また、制御部１３１は、入力部１３２への操作が行われると、その操作内容を示す操作信号（操作コード）を有線送信部１３４からケーブルを介して本体部１１に送信する。
【００３６】
なお、マウス１３は、ワイヤレスマウスあっても良い。この場合、有線送信部１３４の代わりに、指向性無線送信部および無指向性無線送信部を設け、上述のマウス移動検知信号を無指向性無線送信部から本体部１１に無線で送信し、上述の操作信号を指向性無線送信部から本体部１１に無線で送信すれば良い。また、２Ｄ位置センサ１３３の代わりに、３Ｄ位置センサを設け、マウス１３の水平方向または垂直方向の移動が検知された場合に、上述のマウス移動検知信号を送信しても良い。
【００３７】
キーボード１４は、制御部１４１と、入力部１４２と、３Ｄ（３次元）位置センサ１４３と、指向性無線送信部１４４と、無指向性無線送信部１４５とを有するワイヤレスキーボードである。
【００３８】
入力部１４２は、操作者が操作する文字キー、数字キーなどであり、３Ｄ位置センサ１４３は、キーボード１４の水平方向および垂直方向の移動を検知するセンサである。
【００３９】
指向性無線送信部１４４および無指向性無線送信部１４５は、それぞれ、リモコン１２内の指向性無線送信部１２４および無指向性無線送信部１２５と機能が同様である。
【００４０】
制御部１４１は、３Ｄ位置センサ１４３によりキーボード１４の水平方向または垂直方向の移動が検知されると、キーボード移動検知信号（制御コード）を無指向性無線送信部１４５から本体部１１に無線で送信する。よって、３Ｄ位置センサ１４３の代わりに、水平方向の移動のみを検知する２Ｄ位置センサを設けることも可能である。また、制御部１４１は、入力部１４２への操作が行われると、その操作内容を示す操作信号（操作コード）を指向性無線送信部１４４から本体部１１に無線で送信する。
【００４１】
なお、キーボード１４は、ワイヤレスキーボードに限らず、本体部１１とケーブルを介して接続されるキーボードであっても良い。この場合、指向性無線送信部１４４および無指向性無線送信部１４５の代わりに、有線送信部を設け、上述のキーボード移動検知信号および操作信号を有線送信部からケーブルを介して本体部１１に送信すれば良い。
【００４２】
本体部１１は、制御部１１１と、ＧＵＩ生成用ＤＢ（Data Base）１１２と、ＧＵＩ生成部１１３と、無線受信部１１４と、有線受信部１１５と、対応ＧＵＩ記憶部１１６と、表示ＧＵＩ記憶部１１７と、表示部１１８とを有している。
【００４３】
ＧＵＩ生成用ＤＢ１１２は、文字やアイコンであるＧＵＩ部品など、ＧＵＩの生成に必要な各種のデータを格納するデータベースであり、ＧＵＩ生成部１１３は、ＧＵＩ生成用ＤＢ１１２に格納されたデータを用いて、複数のＧＵＩ（本実施形態では、近距離操作用のＧＵＩと遠隔操作用のＧＵＩ）を生成する。なお、複数のＧＵＩごとにＧＵＩ生成用ＤＢ１１２およびＧＵＩ生成部１１３を設け、複数のＧＵＩを別個独立に生成しても良い。
【００４４】
無線受信部１１４は、リモコン１２およびキーボード１４から無線で送信されてくる信号を受信し、有線受信部１１５は、マウス１３からケーブルを介して送信されてくる信号を受信する。
【００４５】
対応ＧＵＩ記憶部１１６は、リモコン１２、マウス１３、およびキーボード１４の各入力装置の種類に対応するＧＵＩの種類を、表１のように記憶する。
【００４６】
【表１】
2007066057.tif 000003
表示ＧＵＩ記憶部１１７は、現時点で表示部１１８に表示されているＧＵＩの種類を記憶する。
【００４７】
制御部１１１は、ＧＵＩ生成部１１３で生成されたＧＵＩ（の情報）を表示部１１８に出力し、表示部１１８がＧＵＩを表示する。
【００４８】
また、制御部１１１は、リモコン１２、マウス１３、またはキーボード１４のいずれかの入力装置から移動検知信号を受信すると、移動検知信号を送信してきた入力装置の種類に対応するＧＵＩの種類を対応ＧＵＩ記憶部１１６から検索するとともに、現時点で表示されているＧＵＩの種類を表示ＧＵＩ記憶部１１７から検索する。制御部１１１は、対応ＧＵＩが現時点で表示されていない場合は、表示部１１８に表示されているＧＵＩの表示を対応ＧＵＩへ切り換え、切り換えたＧＵＩを表示ＧＵＩ記憶部１１７に記憶させる。
【００４９】
なお、ＧＵＩの切り換えは、例えば、制御部１１１が、ＧＵＩ生成部１１３や表示部１１８に対し、現在表示しているＧＵＩの生成や出力を中止させ、対応ＧＵＩの生成や出力をさせることで、現在のＧＵＩの表示から対応ＧＵＩの表示へ切り換えている。
【００５０】
以下、本実施形態の情報処理装置におけるＧＵＩの切り換え方法について説明する。
（１）操作者がリモコン１２を操作する場合
操作者がリモコン１２を手に取ることでリモコン１２の水平方向または垂直方向の位置が変動すると、リモコン１２の３Ｄ位置センサ１２３が、リモコン１２の水平方向または垂直方向の移動を検知し（ステップ１００１）、リモコン１２の制御部１２１が、リモコン移動検知信号（制御コード）を無指向性無線送信部１２５から本体部１１に無線で送信する（ステップ１００２）。このとき、制御部１２１は、上述したように、３Ｄ位置センサ１２３によりリモコン１２の垂直方向の移動が検知された場合にのみリモコン移動検知信号を送信するのが好ましい。
【００５１】
本体部１１の制御部１１１は、リモコン１２からのリモコン移動検知信号が無線受信部１１４に受信されると（ステップ１００７）、リモコン移動検知信号を送信してきたリモコン１２に対応するＧＵＩの種類を対応ＧＵＩ記憶部１１６から検索するとともに（ステップ１００８）、現時点で表示されているＧＵＩの種類を表示ＧＵＩ記憶部１１７から検索する（ステップ１００９）。リモコン１２に対応するＧＵＩは、遠隔操作用のＧＵＩであるため、現時点で遠隔操作用のＧＵＩが表示されていなければ（ステップ１０１０のＮｏ）、表示部１１８に表示されているＧＵＩを遠隔操作用のＧＵＩへ切り換え（ステップ１０１１）、切り換えたＧＵＩを表示ＧＵＩ記憶部１１７に記憶させる。一方、現時点で遠隔操作用のＧＵＩが表示されていれば（ステップ１０１０のＹｅｓ）、継続して遠隔操作用のＧＵＩを表示部１１８に表示させる。
（２）操作者がマウス１３を操作する場合
操作者がマウス１３を手に取ることでマウス１３の水平方向の位置が変動すると、マウス１３の２Ｄ位置センサ１３３が、マウス１３の水平方向の移動を検知し（ステップ１００３）、マウス１３の制御部１３１が、マウス移動検知信号（制御コード）を有線送信部１３４からケーブルを介して本体部１１に送信する（ステップ１００４）。なお、マウス１３が水平方向に移動すると、これに伴い、マウス１３のボールも移動するため、制御部１３１は、ボールの移動に応じた操作信号（操作コード）も併せて本体部１１に送信する。
【００５２】
本体部１１の制御部１１１は、マウス１３からのマウス移動検知信号が有線受信部１１５に受信されると（ステップ１００７）、マウス移動検知信号を送信してきたマウス１３に対応するＧＵＩの種類を対応ＧＵＩ記憶部１１６から検索するとともに（ステップ１００８）、現時点で表示されているＧＵＩの種類を表示ＧＵＩ記憶部１１７から検索する（ステップ１００９）。マウス１３に対応するＧＵＩは、近距離操作用のＧＵＩであるため、現時点で近距離操作用のＧＵＩが表示されていなければ（ステップ１０１０のＮｏ）、表示部１１８に表示されているＧＵＩを近距離操作用のＧＵＩへ切り換え（ステップ１０１１）、近距離操作用のＧＵＩを表示ＧＵＩ記憶部１１７に記憶させる。一方、現時点で近距離操作用のＧＵＩが表示されていれば（ステップ１０１０のＹｅｓ）、継続して近距離操作用のＧＵＩを表示部１１８に表示させ、マウス移動検知信号と共に送信されてきた操作信号の処理（マウスポインタを移動させる処理など）を行う。
（３）操作者がキーボード１４を操作する場合
操作者がキーボード１４を手に取ることでキーボード１４の水平方向または垂直方向の位置が変動すると、キーボード１４の３Ｄ位置センサ１４３が、キーボード１４の水平方向または垂直方向の移動を検知し（ステップ１００５）、キーボード１４の制御部１４１が、キーボード移動検知信号（制御コード）を無指向性無線送信部１４５から本体部１１に無線で送信する（ステップ１００６）。
【００５３】
本体部１１の制御部１１１は、キーボード１４からのキーボード移動検知信号が無線受信部１１４に受信されると（ステップ１００７）、キーボード移動検知信号を送信してきたキーボード１４に対応するＧＵＩの種類を対応ＧＵＩ記憶部１１６から検索するとともに（ステップ１００８）、現時点で表示されているＧＵＩの種類を表示ＧＵＩ記憶部１１７から検索する（ステップ１００９）。キーボード１４に対応するＧＵＩは、近距離操作用のＧＵＩであるため、現時点で近距離操作用のＧＵＩが表示されていなければ（ステップ１０１０のＮｏ）、表示部１１８に表示されているＧＵＩを近距離操作用のＧＵＩへ切り換え（ステップ１０１１）、近距離操作用のＧＵＩを表示ＧＵＩ記憶部１１７に記憶させる。一方、現時点で近距離操作用のＧＵＩが表示されていれば（ステップ１０１０のＹｅｓ）、継続して遠隔操作用のＧＵＩを表示部１１８に表示させる。
【００５４】
上述したように本実施形態においては、リモコン１２、マウス１３、およびキーボード１４の入力装置において、その入力装置の移動が検知された場合に移動検知信号を本体部１１に送信し、本体部１１において、移動検知信号を送信してきた入力装置の種類に対応するＧＵＩへの切り換えを行うため、操作者に負担をかけることなく、操作者が操作する入力装置に応じた最適なＧＵＩへの切り換えを行うことができる。
【００５５】
なお、本実施形態においては、本体部１１に移動検知信号が送信されてきた時点でいずれかのＧＵＩが表示されていることを前提として説明したが、本体部１１にいずれのＧＵＩも表示されていない状態で、移動検知信号が送信されてきた場合、本体部１１は、対応ＧＵＩを表示しても良いし、何のＧＵＩを表示しないままとしても良い。
【００５６】
（第２の実施形態）
図３を参照すると、本発明の第２の実施形態による情報処理装置は、複数のＧＵＩが実装されている本体部２１と、本体部２１の画面から遠い位置で遠隔操作を行う遠隔操作用の入力装置であるリモコン２２と、本体部２１の画面から近い位置で近距離操作を行う近距離操作用の入力装置であるマウス２３およびキーボード２４とを有している。
【００５７】
なお、本実施形態でも、本体部２１には、マウス２３およびキーボード２４による近距離操作用のＧＵＩと、リモコン２２による遠隔操作用のＧＵＩとの２つのＧＵＩが実装されているものとする。
【００５８】
リモコン２２は、制御部２２１と、入力部２２２と、タッチセンサ２２３と、指向性無線送信部２２４と、無指向性無線送信部２２５とを有している。
【００５９】
入力部２２２、指向性無線送信部２２４、および無指向性無線送信部２２５は、それぞれ、第１の実施形態の入力部１２２、指向性無線送信部１２４、および無指向性無線送信部１２５と機能が同様である。
【００６０】
タッチセンサ２２３は、操作者がリモコン２２に触れたことを検知するセンサである。図３では、タッチセンサ２２３は、リモコン２２のグリップ部分（斜線部）に設けられているが、これに限らず、操作者が良く触れる部分に設けていれば良い。
【００６１】
制御部２２１は、タッチセンサ２２３により操作者がリモコン１２に触れたことを検知すると、リモコン利用検知信号（制御コード）を無指向性無線送信部２２５から本体部２１に無線で送信する。また、制御部２２１は、入力部２２２への操作が行われると、その操作内容を示す操作信号（操作コード）を指向性無線送信部２２４から本体部２１に無線で送信する。
【００６２】
マウス２３は、制御部２３１と、入力部２３２と、タッチセンサ２３３と、有線送信部２３４とを有している。
【００６３】
入力部２３２および有線送信部２３４は、それぞれ、第１の実施形態の入力部１３２および有線送信部１３４と機能が同様である。
【００６４】
タッチセンサ２３３は、操作者がマウス２３に触れたことを検知するセンサである。図３では、タッチセンサ２３３は、マウス２３のグリップ部分（斜線部）に設けられているが、これに限らず、操作者が良く触れる部分に設けていれば良い。
【００６５】
制御部２３１は、タッチセンサ２３３により操作者がマウス２３に触れたことを検知すると、マウス利用検知信号（制御コード）を有線送信部２３４からケーブルを介して本体部２１に送信する。また、制御部２３１は、入力部２３２への操作が行われると、その操作内容を示す操作信号（操作コード）を有線送信部２３４からケーブルを介して本体部２１に送信する。
【００６６】
なお、マウス２３は、ワイヤレスマウスであっても良い。この場合、第１の実施形態のマウス１３の説明で述べたようにマウス２３の構成を変更すれば良い。
【００６７】
キーボード２４は、制御部２４１と、入力部２４２と、タッチセンサ２４３と、指向性無線送信部２４４と、無指向性無線送信部２４５を有するワイヤレスキーボードである。
【００６８】
入力部２４２、指向性無線送信部２４４、および無指向性無線送信部２４５は、それぞれ、第１の実施形態の入力部１４２、指向性無線送信部１４４、および無指向性無線送信部１４５と機能が同様である。
【００６９】
タッチセンサ２４３は、操作者がキーボード２４に触れたことを検知するセンサである。図３では、タッチセンサ２４３は、キーボード２４のパームレスト部分（斜線部）に設けられているが、これに限らず、操作者が良く触れる部分に設けていれば良い。
【００７０】
制御部２４１は、タッチセンサ２４３により操作者がキーボード２４に触れたことを検知すると、キーボード利用検知信号（制御コード）を無指向性無線送信部２４５から本体部２１に無線で送信する。また、制御部２４１は、入力部２４２への操作が行われると、その操作内容を示す操作信号（操作コード）を指向性無線送信部２４４から本体部２１に無線で送信する。
【００７１】
なお、キーボード２４は、ワイヤレスキーボードに限らず、本体部２１とケーブルを介して接続されるキーボードであっても良い。この場合、第１の実施形態のキーボード１４の説明で述べたようにキーボード２４の構成を変更すれば良い。
【００７２】
本体部２１は、制御部２１１と、ＧＵＩ生成用ＤＢ２１２と、ＧＵＩ生成部２１３と、無線受信部２１４と、有線受信部２１５と、対応ＧＵＩ記憶部２１６と、表示ＧＵＩ記憶部２１７と、表示部２１８とを有している。
【００７３】
ＧＵＩ生成用ＤＢ２１２、ＧＵＩ生成部２１３、無線受信部２１４、有線受信部２１５、対応ＧＵＩ記憶部２１６、表示ＧＵＩ記憶部２１７、および表示部２１８は、それぞれ、第１の実施形態のＧＵＩ生成用ＤＢ１１２、ＧＵＩ生成部１１３、無線受信部１１４、有線受信部１１５、対応ＧＵＩ記憶部１１６、表示ＧＵＩ記憶部１１７、および表示部１１８と機能が同様である。
【００７４】
制御部２１１は、ＧＵＩ生成部２１３で生成されたＧＵＩ（の情報）を表示部２１８に出力し、表示部２１８がＧＵＩを表示する。
【００７５】
また、制御部２１１は、リモコン２２、マウス２３、またはキーボード２４のいずれかの入力装置から利用検知信号を受信すると、利用検知信号を送信してきた入力装置の種類に対応するＧＵＩの種類を対応ＧＵＩ記憶部２１６から検索するとともに、現時点で表示されているＧＵＩの種類を表示ＧＵＩ記憶部２１７から検索する。制御部２１１は、対応ＧＵＩが現時点で表示されていない場合は、表示部２１８に表示されているＧＵＩを対応ＧＵＩへ切り換え、切り換えたＧＵＩを表示ＧＵＩ記憶部２１７に記憶させる。
【００７６】
なお、ＧＵＩの切り換えは、例えば、制御部２１１が、ＧＵＩ生成部２１３や表示部２１８に対し、現在表示しているＧＵＩの生成や出力を中止させ、対応ＧＵＩの生成や出力をさせることで、現在のＧＵＩの表示から対応ＧＵＩの表示へ切り換えている。
【００７７】
以下、本実施形態の情報処理装置におけるＧＵＩの切り換え方法について説明する。
（１）操作者がリモコン２２を操作する場合
操作者がリモコン２２に触れると、リモコン２２のタッチセンサ２２３が、操作者がリモコン２２に触れたことを検知し（ステップ２００１）、リモコン２２の制御部２２１が、リモコン利用検知信号（制御コード）を無指向性無線送信部２２５から本体部２１に無線で送信する（ステップ２００２）。
【００７８】
本体部２１の制御部２１１は、リモコン２２からのリモコン利用検知信号が無線受信部２１４に受信されると（ステップ２００７）、リモコン利用検知信号を送信してきたリモコン２２に対応するＧＵＩの種類を対応ＧＵＩ記憶部２１６から検索するとともに（ステップ２００８）、現時点で表示されているＧＵＩの種類を表示ＧＵＩ記憶部２１７から検索する（ステップ２００９）。リモコン２２に対応するＧＵＩは、遠隔操作用のＧＵＩであるため、現時点で遠隔操作用のＧＵＩが表示されていなければ（ステップ２０１０のＮｏ）、表示部２１８に表示されているＧＵＩを遠隔操作用のＧＵＩへ切り換え（ステップ２０１１）、遠隔操作用のＧＵＩを表示ＧＵＩ記憶部２１７に記憶させる。一方、現時点で遠隔操作用のＧＵＩが表示されていれば（ステップ２０１０のＹｅｓ）、継続して遠隔操作用のＧＵＩを表示部２１８に表示させる。
（２）操作者がマウス２３を操作する場合
操作者がマウス２３に触れると、マウス２３のタッチセンサ２３３が、操作者がマウス２３に触れたことを検知し（ステップ２００３）、マウス２３の制御部２３１が、マウス利用検知信号（制御コード）を有線送信部２３４からケーブルを介して本体部２１に送信する（ステップ２００４）。なお、操作者がマウス２３に触れると、これに伴い、マウス２３のボールも移動するため、制御部２３１は、ボールの移動に応じた操作信号（操作コード）も併せて本体部２１に送信する。
【００７９】
本体部２１の制御部２１１は、マウス２３からのマウス利用検知信号が有線受信部２１５に受信されると（ステップ２００７）、マウス利用検知信号を送信してきたマウス２３に対応するＧＵＩの種類を対応ＧＵＩ記憶部２１６から検索するとともに（ステップ２００８）、現時点で表示されているＧＵＩの種類を表示ＧＵＩ記憶部２１７から検索する（ステップ２００９）。マウス２３に対応するＧＵＩは、近距離操作用のＧＵＩであるため、現時点で近距離操作用のＧＵＩが表示されていなければ（ステップ２０１０のＮｏ）、表示部２１８に表示されているＧＵＩを近距離操作用のＧＵＩへ切り換え（ステップ２０１１）、近距離操作用のＧＵＩを表示ＧＵＩ記憶部２１７に記憶させる。一方、現時点で近距離操作用のＧＵＩが表示されていれば（ステップ２０１０のＹｅｓ）、継続して近距離操作用のＧＵＩを表示部２１８に表示させ、マウス移動検知信号と共に送信されてきた操作信号の処理（マウスポインタを移動させる処理など）を行う。
（３）操作者がキーボード２４を操作する場合
操作者がキーボード２４に触れると、キーボード２４のタッチセンサ２４３が、操作者がキーボード２４に触れたことを検知し（ステップ２００５）、キーボード２４の制御部２４１が、キーボード利用検知信号（制御コード）を無指向性無線送信部２４５から本体部２１に無線で送信する（ステップ２００６）。
【００８０】
本体部２１の制御部２１１は、キーボード２４からのキーボード利用検知信号が無線受信部２１４に受信されると（ステップ２００７）、キーボード利用検知信号を送信してきたキーボード２４に対応するＧＵＩの種類を対応ＧＵＩ記憶部２１６から検索するとともに（ステップ２００８）、現時点で表示されているＧＵＩの種類を表示ＧＵＩ記憶部２１７から検索する（ステップ２００９）。キーボード２４に対応するＧＵＩは、近距離操作用のＧＵＩであるため、現時点で近距離操作用のＧＵＩが表示されていなければ（ステップ２０１０のＮｏ）、表示部２１８に表示されているＧＵＩを近距離操作用のＧＵＩへ切り換え（ステップ２０１１）、近距離操作用のＧＵＩを表示ＧＵＩ記憶部２１７に記憶させる。一方、現時点で近距離のＧＵＩが表示されていれば（ステップ２０１０のＹｅｓ）、継続して近距離操作用のＧＵＩを表示部２１８に表示させる。
【００８１】
上述したように本実施形態においては、リモコン２２、マウス２３、およびキーボード２４の入力装置において、操作者に触れられたことを検知した場合に利用検知信号を本体部２１に送信し、本体部２１において、利用検知信号を送信してきた入力装置の種類に対応するＧＵＩへの切り換えを行うため、操作者に負担をかけることなく、操作者が操作する入力装置に応じた最適なＧＵＩへの切り換えを行うことができる。
【００８２】
なお、本実施形態においては、本体部２１に利用検知信号が送信されてきた時点でいずれかのＧＵＩが表示されていることを前提として説明したが、本体部２１にいずれのＧＵＩも表示されていない状態で、利用検知信号が送信されてきた場合、本体部２１は、対応ＧＵＩを表示しても良いし、何のＧＵＩを表示しないままとしても良い。
【００８３】
（第３の実施形態）
図５を参照すると、本発明の第３の実施形態による情報処理装置は、複数のＧＵＩが実装されている本体部３１と、本体部３１の画面から遠い位置で遠隔操作を行う遠隔操作用の入力装置であるリモコン３２と、本体部３１の画面から近い位置で近距離操作を行う近距離操作用の入力装置であるマウス３３およびキーボード３４とを有している。
【００８４】
なお、本実施形態でも、本体部３１には、マウス３３およびキーボード３４による近距離操作用のＧＵＩと、リモコン３２による遠隔操作用のＧＵＩとの２つのＧＵＩが実装されているものとする。
【００８５】
リモコン３２は、制御部３２１と、入力部３２２と、指向性無線送信部３２４と、無指向性無線送信部３２５とを有している。
【００８６】
入力部３２２、指向性無線送信部３２４、および無指向性無線送信部３２５は、それぞれ、第１の実施形態の入力部１２２、指向性無線送信部１２４、および無指向性無線送信部１２５と機能が同様である。
【００８７】
制御部３２１は、入力部３２２への操作が行われると、その操作内容を示す操作信号（操作コード）にリモコン３２の識別信号（識別コード）を付加したものを、指向性無線送信部３２４または無指向性無線送信部３２５から本体部３１に無線で送信する。
【００８８】
マウス３３は、制御部３３１と、入力部３３２と、有線送信部３３４とを有している。
【００８９】
入力部３３２および有線送信部３３４は、それぞれ、第１の実施形態の入力部１３２および有線送信部１３４と機能が同様である。
【００９０】
制御部３３１は、入力部３３２への操作が行われると、その操作内容を示す操作信号（操作コード）にマウス３３の識別信号（識別コード）を付加したものを、有線送信部３３４からケーブルを介して本体部３１に送信する。
【００９１】
なお、マウス３３は、ワイヤレスマウスであっても良い。この場合、第１の実施形態のマウス１３の説明で述べたようにマウス３３の構成を変更すれば良い。
【００９２】
キーボード３４は、制御部３４１と、入力部３４２と、指向性無線送信部３４４と、無指向性無線送信部３４５を有するワイヤレスキーボードである。
【００９３】
入力部３４２、指向性無線送信部３４４、および無指向性無線送信部３４５は、それぞれ、第１の実施形態の入力部１４２、指向性無線送信部１４４、および無指向性無線送信部１４５と機能が同様である。
【００９４】
制御部３４１は、入力部３４２への操作が行われると、その操作内容を示す操作信号（操作コード）にキーボード３４の識別信号（識別コード）を付加したものを、指向性無線送信部３４４または無指向性無線送信部３４５から本体部３１に無線で送信する。
【００９５】
なお、キーボード３４は、ワイヤレスキーボードに限らず、本体部３１とケーブルを介して接続されるキーボードであっても良い。この場合、第１の実施形態のキーボード１４の説明で述べたようにキーボード３４の構成を変更すれば良い。
【００９６】
本体部３１は、制御部３１１と、ＧＵＩ生成用ＤＢ３１２と、ＧＵＩ生成部３１３と、無線受信部３１４と、有線受信部３１５と、対応ＧＵＩ記憶部３１６と、表示ＧＵＩ記憶部３１７と、表示部３１８とを有している。
【００９７】
ＧＵＩ生成用ＤＢ３１２、ＧＵＩ生成部３１３、無線受信部３１４、有線受信部３１５、対応ＧＵＩ記憶部３１６、表示ＧＵＩ記憶部３１７、および表示部３１８は、それぞれ、第１の実施形態のＧＵＩ生成用ＤＢ１１２、ＧＵＩ生成部１１３、無線受信部１１４、有線受信部１１５、対応ＧＵＩ記憶部１１６、表示ＧＵＩ記憶部１１７、および表示部１１８と機能が同様である。
【００９８】
制御部３１１は、ＧＵＩ生成部３１３で生成されたＧＵＩ（の情報）を表示部３１８に出力し、表示部３１８がＧＵＩを表示する。
【００９９】
また、制御部３１１は、リモコン３２、マウス３３、またはキーボード３４のいずれかの入力装置から操作信号を受信すると、受信した操作信号に付加されている識別信号に基づき入力装置の種類を認識し、認識した入力装置の種類に対応するＧＵＩの種類を対応ＧＵＩ記憶部３１６から検索するとともに、現時点で表示されているＧＵＩの種類を表示ＧＵＩ記憶部３１７から検索する。制御部３１１は、対応ＧＵＩが現時点で表示されていない場合は、表示部３１８に表示されているＧＵＩを対応ＧＵＩへ切り換え、切り換えたＧＵＩを表示ＧＵＩ記憶部３１７に記憶させる。ただし、制御部３１１は、ＧＵＩの表示を切り換える場合、入力装置から受信した操作信号に対応する操作コードが切り換えたＧＵＩに存在しない可能性もあるため、ＧＵＩの表示の切り換えのみを行って操作信号は処理しない。
【０１００】
なお、ＧＵＩの切り換えは、例えば、制御部３１１が、ＧＵＩ生成部３１３や表示部３１８に対し、現在表示しているＧＵＩの生成や出力を中止させ、対応ＧＵＩの生成や出力をさせることで、現在のＧＵＩの表示から対応ＧＵＩの表示へ切り換えている。
【０１０１】
以下、本実施形態の情報処理装置におけるＧＵＩの切り換え方法について説明する。
（１）操作者がリモコン３２を操作する場合
操作者がリモコン３２を操作すると（ステップ３００１）、リモコン３２の制御部３２１が、その操作内容を示す操作信号（操作コード）にリモコン３２の識別信号（識別コード）を付加したものを、指向性無線送信部３２４または無指向性無線送信部３２５から本体部３１に無線で送信する（ステップ３００２）。
【０１０２】
本体部３１の制御部３１１は、リモコン３２からの操作信号が無線受信部３１４に受信されると（ステップ３００７）、受信した操作信号に付加されている識別信号により入力装置の種類がリモコン３２であると認識し（ステップ３００８）、リモコン３２に対応するＧＵＩの種類を対応ＧＵＩ記憶部３１６から検索するとともに（ステップ３００９）、現時点で表示されているＧＵＩの種類を表示ＧＵＩ記憶部３１７から検索する（ステップ３０１０）。リモコン３２に対応するＧＵＩは、遠隔操作用のＧＵＩであるため、現時点で遠隔操作用のＧＵＩが表示されていなければ（ステップ３０１１のＮｏ）、表示部３１８に表示されているＧＵＩを遠隔操作用のＧＵＩへ切り換え（ステップ３０１２）、遠隔操作用のＧＵＩを表示ＧＵＩ記憶部３１７に記憶させる。このとき、上述したように、操作信号は処理しない。一方、現時点で遠隔操作用のＧＵＩが表示されていれば（ステップ３０１１のＹｅｓ）、継続して遠隔操作用のＧＵＩを表示部３１８に表示させ、操作信号の処理を行う。
（２）操作者がマウス３３を操作する場合
操作者がマウス３３を操作すると（ステップ３００３）、マウス３３の制御部３３１が、その操作内容を示す操作信号（操作コード）にマウス３３の識別信号（識別コード）を付加したものを、有線送信部３３４からケーブルを介して本体部３１に送信する（ステップ３００４）。
【０１０３】
本体部３１の制御部３１１は、マウス３３からの操作信号が有線受信部３１５に受信されると（ステップ３００７）、受信した操作信号に付加されている識別信号により入力装置の種類がマウス３３であると認識し（ステップ３００８）、マウス３３に対応するＧＵＩの種類を対応ＧＵＩ記憶部３１６から検索するとともに（ステップ３００９）、現時点で表示されているＧＵＩの種類を表示ＧＵＩ記憶部３１７から検索する（ステップ３０１０）。マウス３３に対応するＧＵＩは、近距離操作用のＧＵＩであるため、現時点で近距離操作用のＧＵＩが表示されていなければ（ステップ３０１１のＮｏ）、表示部３１８に表示されているＧＵＩを近距離操作用のＧＵＩへ切り換え（ステップ３０１２）、近距離操作用のＧＵＩを表示ＧＵＩ記憶部３１７に記憶させる。このとき、上述したように、操作信号は処理しない。一方、現時点で近距離操作用のＧＵＩが表示されていれば（ステップ３０１１のＹｅｓ）、継続して近距離操作用のＧＵＩを表示部３１８に表示させ、操作信号の処理を行う。
（３）操作者がキーボード３４を操作する場合
操作者がキーボード３４を操作すると（ステップ３００５）、キーボード３４の制御部３４１が、その操作内容を示す操作信号（操作コード）にキーボード３４の識別信号（識別コード）を付加したものを、指向性無線送信部３４４または無指向性無線送信部３４５から本体部３１に無線で送信する（ステップ３００６）。
【０１０４】
本体部３１の制御部３１１は、キーボード３４からの操作信号が無線受信部３１４に受信されると（ステップ３００７）、受信した操作信号に付加されている識別信号により入力装置の種類がキーボード３４であると認識し（ステップ３００８）、キーボード３４に対応するＧＵＩの種類を対応ＧＵＩ記憶部３１６から検索するとともに（ステップ３００９）、現時点で表示されているＧＵＩの種類を表示ＧＵＩ記憶部３１７から検索する（ステップ３０１０）。キーボード３４に対応するＧＵＩは、近距離操作用のＧＵＩであるため、現時点で近距離操作用のＧＵＩが表示されていなければ（ステップ３０１１のＮｏ）、表示部３１８に表示されているＧＵＩを近距離操作用のＧＵＩへ切り換え（ステップ３０１２）、近距離操作用のＧＵＩを表示ＧＵＩ記憶部３１７に記憶させる。このとき、上述したように、操作信号は処理しない。一方、現時点で近距離操作用のＧＵＩが表示されていれば（ステップ３０１１のＹｅｓ）、継続して近距離操作用のＧＵＩを表示部３１８に表示させ、操作信号の処理を行う。
【０１０５】
上述したように本実施形態においては、リモコン３２、マウス３３、およびキーボード３４の入力装置において、操作者に操作された場合に、識別信号を付加した操作信号を本体部３１に送信し、本体部３１において、操作信号に付加された識別信号により入力装置の種類を認識し、認識した入力装置の種類に対応するＧＵＩへの切り換えを行うため、操作者に負担をかけることなく、操作者が操作する入力装置に応じた最適なＧＵＩへの切り換えを行うことができる。
【０１０６】
（第４の実施形態）
図７を参照すると、本発明の第４の実施形態による情報処理装置は、複数のＧＵＩが実装されている本体部４１と、本体部４１への操作を行う遠隔操作用の入力装置であるリモコン４２と、本体部４１の画面から近い位置で近距離操作を行う近距離操作用の入力装置であるマウス４３およびキーボード４４とを有している。
【０１０７】
なお、本実施形態でも、本体部４１には、マウス４３およびキーボード４４による近距離操作用のＧＵＩと、リモコン４２による遠隔操作用のＧＵＩとの２つのＧＵＩが実装されているものとする。
【０１０８】
リモコン４２は、制御部４２１と、入力部４２２と、３Ｄ位置センサ４２３と、指向性無線送信部４２４と、無指向性無線送信部４２５と、タッチセンサ４２６とを有している。
【０１０９】
入力部４２２、３Ｄ位置センサ４２３、指向性無線送信部４２４、および無指向性無線送信部４２５は、それぞれ、第１の実施形態の入力部１２２、３Ｄ位置センサ１２３、指向性無線送信部１２４、および無指向性無線送信部１２５と機能が同様であり、また、タッチセンサ４２６は、第２の実施形態のタッチセンサ２２３と機能が同様である。
【０１１０】
制御部４２１は、本体部４１がリモコン４２との間の距離を計測するのに用いる所定の距離計測用信号を、所定の距離計測タイミングで、指向性無線送信部４２４または無指向性無線送信部４２５から本体部４１に無線で送信する。
【０１１１】
ここで、距離計測タイミングとは、例えば、３Ｄ位置センサ４２３によりリモコン４２の水平方向または垂直方向の移動が検知されたタイミング、タッチセンサ４２６によりリモコン４２が操作者に触れられたことが検知されたタイミング、入力部４２２への操作が開始されたタイミング、または、入力部４２２への操作が開始されてから一定間隔ごとのタイミングなどである。
【０１１２】
また、距離計測用信号とは、例えば、本体部４１がリモコン４２から受信した赤外線の受光強度に基づき距離を計測する場合は、指向性無線送信部４２４から赤外線で送信する任意の信号となる。また、本体部４１が、リモコン４２の操作時に、無線（赤外線等）で送信されてくる信号を検知した時間と操作音を検知した時間との時間差、すなわちリモコン４２からの光波と音波との時間差に基づき距離を計測する場合は、指向性無線送信部４２４または無指向性無線送信部４２５から無線で送信する任意の信号となる。
【０１１３】
マウス４３は、制御部４３１と、入力部４３２と、３Ｄ位置センサ４３３と、指向性無線送信部４３４と、無指向性無線送信部４３５と、タッチセンサ４３６とを有するワイヤレスマウスである。
【０１１４】
入力部４３２は、第１の実施形態の入力部１３２と機能が同様であり、また、タッチセンサ４３６は、第２の実施形態のタッチセンサ２３３と機能が同様であり、また、３Ｄ位置センサ４３３、指向性無線送信部４３４、および無指向性無線送信部４３５は、それぞれ、リモコン４２内の３Ｄ位置センサ４２３、指向性無線送信部４２４、および無指向性無線送信部４２５と機能が同様である。
【０１１５】
制御部４３１は、本体部４１がマウス４３との間の距離を計測するのに用いる所定の距離計測用信号を、所定の距離計測タイミングで、指向性無線送信部４３４または無指向性無線送信部４３５から本体部４１に無線で送信する。なお、距離計測タイミングおよび距離計測用信号は、リモコン４２の説明で述べたものと同様である。
【０１１６】
キーボード４４は、制御部４４１と、入力部４４２と、３Ｄ位置センサ４４３と、指向性無線送信部４４４と、無指向性無線送信部４４５と、タッチセンサ４４６とを有するワイヤレスキーボードである。
【０１１７】
入力部４４２、３Ｄ位置センサ４４３、指向性無線送信部４４４、および無指向性無線送信部４４５は、第１の実施形態の入力部１４２、３Ｄ位置センサ１４３、指向性無線送信部１４４、および無指向性無線送信部１４５と機能が同様であり、また、タッチセンサ４４６は、第２の実施形態のタッチセンサ２４３と機能が同様である。
【０１１８】
制御部４３１は、本体部４１がキーボード４４との間の距離を計測するのに用いる所定の距離計測用信号を、所定の距離計測タイミングで、指向性無線送信部４４４または無指向性無線送信部４４５から本体部４１に無線で送信する。なお、距離計測タイミングおよび距離計測用信号は、リモコン４２の説明で述べたものと同様である。
【０１１９】
このように、リモコン４２、マウス４３、およびキーボード４４においては、上述した距離計測タイミングおよび距離計測用信号によっては、３Ｄ位置センサ４２３，４３３，４４３、タッチセンサ４２６，４３６，４４６、および無指向性無線送信部４２５，４３５，４４５は、必ずしも設ける必要はない。
【０１２０】
本体部４１は、制御部４１１と、ＧＵＩ生成用ＤＢ４１２と、ＧＵＩ生成部４１３と、無線受信部４１４と、距離計測部４１５と、対応ＧＵＩ記憶部４１６と、表示ＧＵＩ記憶部４１７と、表示部４１８とを有している。
【０１２１】
ＧＵＩ生成用ＤＢ４１２、ＧＵＩ生成部４１３、無線受信部４１４、表示ＧＵＩ記憶部４１７、および表示部４１８は、それぞれ、第１の実施形態のＧＵＩ生成用ＤＢ１２、ＧＵＩ生成部１１３、無線受信部１１４、表示ＧＵＩ記憶部１１７、および表示部１１８と機能が同様である。
【０１２２】
距離計測部４１５は、リモコン４２、マウス４３、またはキーボード４４のいずれかの入力装置から距離計測用信号を受信すると、受信した距離計測用信号に基づいて、その入力装置との間の距離を計測する。計測方法としては、上述したように、入力装置から距離計測用信号を赤外線で受信した場合に、その赤外線の受光強度に基づき距離を計測する方法、入力装置の操作時に、無線（赤外線等）で送信されてくる信号を検知した時間と操作音を検知した時間との時間差に基づき距離を計測する方法などがある。
【０１２３】
対応ＧＵＩ記憶部４１６は、本体部４１とリモコン１２、マウス１３、およびキーボード１４の各入力装置との間の距離Ｘに対応するＧＵＩの種類を、表２のように記憶する。
【０１２４】
【表２】
2007066057.tif 000004
制御部４１１は、ＧＵＩ生成部４１３で生成されたＧＵＩ（の情報）を表示部４１８に出力し、表示部４１８がＧＵＩを表示する。
【０１２５】
また、制御部４１１は、リモコン４２、マウス４３、またはキーボード４４のいずれかの入力装置から移動検知信号を受信すると、距離計測部４１５にて計測された入力装置との間の距離に対応するＧＵＩの種類を対応ＧＵＩ記憶部４１６から検索するとともに、現時点で表示されているＧＵＩの種類を表示ＧＵＩ記憶部４１７から検索する。制御部４１１は、対応ＧＵＩが現時点で表示されていない場合は、表示部４１８に表示されているＧＵＩを対応ＧＵＩへ切り換え、切り換えたＧＵＩを表示ＧＵＩ記憶部４１７に記憶させる。
【０１２６】
なお、ＧＵＩの切り換えは、例えば、制御部４１１が、ＧＵＩ生成部４１３や表示部４１８に対し、現在表示しているＧＵＩの生成や出力を中止させ、対応ＧＵＩの生成や出力をさせることで、現在のＧＵＩの表示から対応ＧＵＩの表示へ切り換えている。
【０１２７】
以下、本実施形態の情報処理装置におけるＧＵＩの切り換え方法について説明する。
（１）操作者がリモコン４２を操作する場合
距離計測タイミング（３Ｄ位置センサ４２３によりリモコン４２の移動が検知されたタイミングなど）になると（ステップ４００１）、リモコン４２の制御部４２１は、距離計測用信号を指向性無線送信部４２４または無指向性無線送信部４２５から本体部４１に無線で送信する（ステップ４００２）。ここでは、本体部４１がリモコン４２から受信した赤外線の受光強度に基づき距離を計測するものとして、指向性無線送信部４２４から赤外線で任意の信号を距離計測用信号として送信したとする。
【０１２８】
本体部４１の制御部４１１は、リモコン４２からの距離計測用信号が無線受信部２１４に受信されると（ステップ４００７）、リモコン４２との間の距離を距離計測部４１５に計測させ、距離計測部４１５は、リモコン４２から受信した赤外線の受光強度に基づき距離を計測する（ステップ４００８）。ここでは、計測された距離が０．８ｍであったとする。次に、本体部４１の制御部４１１は、リモコン４２との間の距離０．８ｍに対応するＧＵＩの種類を対応ＧＵＩ記憶部４１６から検索するとともに（ステップ４００９）、現時点で表示されているＧＵＩの種類を表示ＧＵＩ記憶部４１７から検索する（ステップ４０１０）。距離０．８ｍに対応するＧＵＩは、遠隔操作用のＧＵＩであるため、現時点で遠隔操作用のＧＵＩが表示されていなければ（ステップ４０１１のＮｏ）、表示部４１８に表示されているＧＵＩを遠隔操作用のＧＵＩへ切り換え（ステップ４０１２）、遠隔操作用のＧＵＩを表示ＧＵＩ記憶部４１７に記憶させる。一方、現時点で遠隔操作用のＧＵＩが表示されていれば（ステップ４０１１のＹｅｓ）、継続して遠隔操作用のＧＵＩを表示部４１８に表示させる。
（２）操作者がマウス４３を操作する場合
距離計測タイミング（３Ｄ位置センサ４３３によりマウス４３の移動が検知されたタイミングなど）になると（ステップ４００３）、マウス４３の制御部４３１は、距離計測用信号を指向性無線送信部４３４または無指向性無線送信部４３５から本体部４１に無線で送信する（ステップ４００４）。ここでは、本体部４１がマウス４３から受信した赤外線の受光強度に基づき距離を計測するものとして、指向性無線送信部４３４から赤外線で任意の信号を距離計測用信号として送信したとする。
【０１２９】
本体部４１の制御部４１１は、マウス４３からの距離計測用信号が無線受信部４１４に受信されると（ステップ４００７）、マウス４３との間の距離を距離計測部４１５に計測させ、距離計測部４１５は、マウス４３から受信した赤外線の受光強度に基づき距離を計測する（ステップ４００８）。ここでは、計測された距離が０．２ｍであったとする。次に、本体部４１の制御部４１１は、マウス４３との間の距離０．２ｍに対応するＧＵＩの種類を対応ＧＵＩ記憶部４１６から検索するとともに（ステップ４００９）、現時点で表示されているＧＵＩの種類を表示ＧＵＩ記憶部４１７から検索する（ステップ４０１０）。距離０．２ｍに対応するＧＵＩは、近距離操作用のＧＵＩであるため、現時点で近距離操作用のＧＵＩが表示されていなければ（ステップ４０１１のＮｏ）、表示部４１８に表示されているＧＵＩを近距離操作用のＧＵＩへ切り換え（ステップ４０１２）、近距離操作用のＧＵＩを表示ＧＵＩ記憶部４１７に記憶させる。一方、現時点で近距離操作用のＧＵＩが表示されていれば（ステップ４０１１のＹｅｓ）、継続して近距離操作用のＧＵＩを表示部４１８に表示させる。
（３）操作者がキーボード４４を操作する場合
距離計測タイミング（３Ｄ位置センサ４４３によりキーボード４４の移動が検知されたタイミングなど）になると（ステップ４００５）、キーボード４４の制御部４４１は、距離計測用信号を指向性無線送信部４４４または無指向性無線送信部４４５から本体部４１に無線で送信する（ステップ４００４）。ここでは、本体部４１がキーボード４４から受信した赤外線の受光強度に基づき距離を計測するものとして、指向性無線送信部４４４から赤外線で任意の信号を距離計測用信号として送信したとする。
【０１３０】
本体部２１の制御部４１１は、キーボード４４からの距離計測用信号が無線受信部２１４に受信されると（ステップ４００７）、キーボード４４との間の距離を距離計測部４１５に計測させ、距離計測部４１５は、キーボード４４から受信した赤外線の受光強度に基づき距離を計測する（ステップ４００８）。ここでは、計測された距離が０．３ｍであったとする。次に、本体部２１の制御部４１１は、キーボード４４との間の距離０．３ｍに対応するＧＵＩの種類を対応ＧＵＩ記憶部４１６から検索するとともに（ステップ４００９）、現時点で表示されているＧＵＩの種類を表示ＧＵＩ記憶部４１７から検索する（ステップ４０１０）。距離０．３ｍに対応するＧＵＩは、近距離操作用のＧＵＩであるため、現時点で近距離操作用のＧＵＩが表示されていなければ（ステップ４０１１のＮｏ）、表示部４１８に表示されているＧＵＩを近距離操作用のＧＵＩへ切り換え（ステップ４０１２）、近距離操作用のＧＵＩを表示ＧＵＩ記憶部４１７に記憶させる。一方、現時点で近距離操作用のＧＵＩが表示されていれば（ステップ４０１１のＹｅｓ）、継続して近距離操作用のＧＵＩを表示部４１８に表示させる。
【０１３１】
上述したように本実施形態においては、リモコン４２、マウス４３、またはキーボード４４の入力装置において、所定のタイミングで距離計測用信号を本体部４１に送信し、本体部４１において、距離計測用信号に基づき入力装置との間の距離を計測し、計測した距離に対応するＧＵＩへの切り換えを行うため、操作者に負担をかけることなく、操作者が操作する入力装置に応じた最適なＧＵＩへの切り換えを行うことができる。
【０１３２】
なお、本実施形態においては、本体部４１に遠隔操作用のＧＵＩと近距離操作用のＧＵＩとの２つＧＵＩが実装される場合を例に挙げて説明したが、ＧＵＩの種類は２つに限定されない。例えば、入力装置との間の距離が長くなるにしたがって文字が大きくなる（または、解像度が下がる）ように３つ以上のＧＵＩを実装し、入力装置との間の距離に応じて対応するＧＵＩへの切り換えを行うこととしても良い。
【図面の簡単な説明】
【０１３３】
【図１】本発明の第１の実施形態による情報処理装置の構成を示すブロック図である。
【図２】図１に示した情報処理装置におけるＧＵＩの切り換え方法を説明するフローチャートである。
【図３】本発明の第２の実施形態による情報処理装置の構成を示すブロック図である。
【図４】図３に示した情報処理装置におけるＧＵＩの切り換え方法を説明するフローチャートである。
【図５】本発明の第３の実施形態による情報処理装置の構成を示すブロック図である。
【図６】図５に示した情報処理装置におけるＧＵＩの切り換え方法を説明するフローチャートである。
【図７】本発明の第４の実施形態による情報処理装置の構成を示すブロック図である。
【図８】図７に示した情報処理装置におけるＧＵＩの切り換え方法を説明するフローチャートである。
【符号の説明】
【０１３４】
１１，２１，３１，４１    本体部
１２，２２，３２，４２    リモコン
１３，２３，３３，４３    マウス
１４，２４，３４，４４    キーボード
１１１，２１１，３１１，４１１    制御部
１１２，２１２，３１２，４１２    ＧＵＩ生成用ＤＢ
１１３，２１３，３１３，４１３    ＧＵＩ生成部
１１４，２１４，３１４，４１４    無線受信部
１１５，２１５，３１５    有線受信部
１１６，２１６，３１６，４１６    対応ＧＵＩ記憶部
１１７，２１７，３１７，４１７    表示ＧＵＩ記憶部
１１８，２１８，３１８，４１８    表示部
１２１，２２１，３２１，４２１    制御部
１２２，２２２，３２２，４２２    入力部
１２３，４２３    ３Ｄ位置センサ
１２４，２２４，３２４，４２４    指向性無線送信部
１２５，２２５，３２５，４２５    無指向性無線送信部
１３１，２３１，３３１，４３１    制御部
１３２，２３２，３３２，４３２    入力部
１３３，４３３    ３Ｄ位置センサ
１３４，２３４，３３４    有線送信部
１４１，２４１，３４１，４４１    制御部
１４２，２４２，３４２，４４２    入力部
１４３，４４３    ３Ｄ位置センサ
１４４，２４４，３４４，４４４    指向性無線送信部
１４５，２４５，３４５，４４５    無指向性無線送信部
２２３，４２６    タッチセンサ
２３３，４３６    タッチセンサ
２４３，４４６    タッチセンサ
４３４    指向性無線送信部
４３５    無指向性無線送信部
【図１】
2007066057.tif 000005
【図２】
2007066057.tif 000006
【図３】
2007066057.tif 000007
【図４】
2007066057.tif 000008
【図５】
2007066057.tif 000009
【図６】
2007066057.tif 000010
【図７】
2007066057.tif 000011
【図８】
2007066057.tif 000012